Podtech/llm-jp-corpus-v4-ja_patent huggingface dataset:
(57)【要約】【課題】義歯、特に総入れ歯と言われる義歯が口腔の粘膜に適合しないために生ずる義歯のがたつきや顎堤の疼痛を軽減するための、クリーム状ないしペースト状の義歯安定材と共に用いるシート状の義歯安定材を提供する。【解決手段】義歯安定化シート１は、二股形状に切断された表面に凹凸のある和紙からなるシートである。クリーム状ないしペースト状の義歯安定材で義歯床２１に張り付け、義歯床２１からはみ出した部分１１をハサミ等で切断して除去し、張り付けた義歯安定化シート１の上に更にクリーム状ないしペースト状の義歯安定材を塗布して装着する。【選択図】図２
2016146892.tif 000002
【特許請求の範囲】
【請求項１】
二股形状に切断された表面に凹凸のある和紙からなる義歯安定化シート。
【請求項２】
前記和紙が、厚さ０．２ｍｍ〜０．０５ｍｍの和紙である、請求項１記載の義歯安定化シート。
【発明の詳細な説明】
【技術分野】
【０００１】
この発明は、義歯のがたつきや義歯と粘膜との不適合による疼痛を軽減するのに用いるシート状の義歯安定材に関するものである。
【背景技術】
【０００２】
失われた歯の機能を補うために義歯が用いられる。義歯は口腔内の粘膜の形状に合わせて製作されるが、歯が抜けた歯茎（顎堤）は次第に痩せてくるので、義歯床と口腔の粘膜との間に隙間が生じ、義歯ががたついて外れやすくなったり、咬合力が不均一に顎堤に作用して疼痛を生じたりする。
【０００３】
口腔の粘膜に適合しなくなった義歯は、通常、義歯床裏装材（硬化性のレジン）によって修復されるが、この修復のためには歯科医に行かなければならない。しかし、旅行中であったり時間がないなどの関係で、歯科医に行くことができない場合もある。また、顎堤の形状や口腔が乾きやすいなどの原因で、修復を行っても義歯のがたつきや顎堤の疼痛が残ることも多い。
【０００４】
このような場合に用いられるものとして、義歯粘着材やホームリライナーなどの義歯安定材と呼ばれるものが提供されている。一般に提供されている義歯安定材は、クリーム状ないしペースト状で、義歯床に塗布して装着することにより、義歯床と粘膜との間の隙間を埋め、粘着力により義歯を安定に保持するというものである。
【発明の概要】
【発明が解決しようとする課題】
【０００５】
しかし、一般に市販されているクリーム状ないしペースト状の義歯安定材（以下、「義歯床クリーム」と言う。）は、義歯、特に総入れ歯と言われる義歯のがたつきや顎堤の疼痛を軽減する作用が十分でない。これは、主として、義歯床と粘膜との間の隙間を埋める作用や、咬合力に抵抗する作用が不十分であるためと考えられる。
【０００６】
また、口腔の粘膜は、体調などによって痩せたり太ったりするので、常時適合する義歯を製作するのは不可能であるとも言われている。
【０００７】
この発明は、義歯、特に総入れ歯と言われる義歯が口腔の粘膜に適合しないために生ずる義歯のがたつきや顎堤の疼痛を軽減するための、義歯床クリームと共に用いる義歯安定材を提供することを課題としている。
【課題を解決するための手段】
【０００８】
この発明の義歯安定化シート１は、二股形状に切断された表面に凹凸のある和紙からなるシートである。この発明の義歯安定化シート１は、義歯床クリームで義歯床２１に張り付け、義歯床２１からはみ出した部分１１をハサミ等で切断して除去し、張り付けた義歯安定化シート１の上に更に義歯床クリームを塗布して口腔に装着する。
【０００９】
義歯安定化シート１に用いる和紙としては、表面に凹凸のある薄い（例えば厚さ０．２ｍｍ〜０．０５ｍｍ）の和紙が好ましく、義歯床２１と口腔の粘膜３との間に介在したとき、表面の凹凸がクッションの役目をして、義歯床２１と粘膜３との間の隙間が不均一であってもその隙間を均一に埋めるように作用して、義歯２のがたつきや咬合力が不均一に顎堤３１に伝わることによって生ずる疼痛を軽減する。
【００１０】
また、薄い和紙を用いることにより、複数枚を重ねて使用することによって、義歯２のがたつき等の不適合の程度に応じて、最適な適合状態となるように調整することができる。
【発明の効果】
【００１１】
この発明の義歯安定化シート１を一般に市販されている義歯床クリームと共に用いることによって、義歯２と口腔の粘膜３との不適合を改善することができる。すなわち、義歯床クリームを使用しただけでは改善されない義歯のがたつき、外れ、顎堤の疼痛などの問題を防止することができる。
【００１２】
また、材料が入手しやすい和紙であり、その切断形状も単純であるから、安価に提供することができ、義歯床クリームと共に提供することにより、義歯床クリームのみでは改善されなかった義歯と口腔の粘膜との不適合を改善することができるという効果がある。
【図面の簡単な説明】
【００１３】
【図１】義歯安定化シートの実施例の平面図
【図２】図１の義歯安定化シートを義歯床に載せた状態の平面図
【図３】義歯を装着した状態を示す部分断面図
【発明を実施するための形態】
【００１４】
図１は、この発明の義歯安定化シートの一実施例を示す平面図である。図の義歯安定化シート１は、表面に凹凸のある厚さ０．１ｍｍの和紙を二股状に、すなわち、２枚の短冊が、義歯に装着したときに前歯側となる先端側が一体に連接され、奥歯側となる奥端がハの字ないしＶ字状に斜めに開いた形状に、切断したものである。
【００１５】
図２は、図１の義歯安定化シート１を上顎用の総入れ歯と言われる義歯２に載せた状態を義歯床側から見た平面図で、義歯安定化シート１で隠されている義歯床２１の形状が点線で示されている。義歯安定化シート１は、義歯床２１に義歯床クリームを塗布した後、図２に示すように義歯床２１に添設し、指で押さえて義歯床２１に密着させた後、はみ出した部分１１をハサミなどで切除する。そして、義歯床２１に張り付けた義歯安定化シート１の表面に義歯床クリームを塗布して、口腔に装着する。
【００１６】
図３は、義歯安定化シート１（１ａ、１ｂ）を２枚重ねにして義歯２に張り付けて、上顎に義歯２を装着した状態を示す部分断面図である。義歯安定化シート１ａと義歯床２１の間、２枚の義歯安定化シート１ａ、１ｂの間、及び義歯安定化シート１ｂと口腔の粘膜３との間に、それぞれ義歯床クリームが塗布されている。
【００１７】
上記のように、この発明の義歯安定化シート１は、義歯床クリームと共に用いられ、義歯床２１と口腔の粘膜３との間の不適合の程度に合わせて複数枚を用いることにより、義歯床２１と粘膜３との不適合をより微細に調整することができ、義歯２のがたつき、外れ、及び顎堤３１の疼痛をより確実に軽減することができる。
【００１８】
そして、義歯床２１と口腔の粘膜３とをより確実に、かつ正確に適合させることができることから、義歯２と口腔の粘膜３との適合状態が長く保持される。更に、材料及び加工が簡単で、安価に提供することができ、義歯に装着する作業も簡単であるという特徴がある。
【符号の説明】
【００１９】
１（１ａ、１ｂ）  義歯安定化シート
２  義歯
３  粘膜
１１  はみ出した部分
２１  義歯床
【図１】
2016146892.tif 000003
【図２】
2016146892.tif 000004
【図３】
2016146892.tif 000005
(57)【要約】【課題】  人力で行う田植えは播種と移植の二重手間、一株ずつ植え付ける非能率、長時間、重労働等に加え、移植は稲の根を痛め生長を遅らせている。  そこで、田植えの省力化及び稲の育成を図る為に、種もみを直接、水田に植え付ける「網敷き種もみ植え付け法」を提供する。【解決手段】  格子状に編まれた網の縦糸と横糸とが交差する箇所に、（又は縦糸若しくは横糸の線に沿って等間隔に、）種もみを複数粒一塊にした種株を付着させた網を水田に敷く。【選択図】図１
2016146810.tif 000002
【特許請求の範囲】
【請求項１】
網を構成要素とする。種もみを直接、水田に植え付ける方法にあって、「格子状に編まれた網の縦糸と横糸とが交差する箇所に、（又は縦糸若しくは横糸の線に沿って等間隔に、）種もみを複数粒一塊にした種株を付着させた網を水田に敷くことを特徴とする」網敷き種もみ植え付け法。
【発明の詳細な説明】
【技術分野】
【０００１】  この発明は人力による田植えの省力化及び稲の育成を図る為に、種もみを直接、水田に植え付ける方法に関する。
【背景技術】
【０００２】  従来、稲作は苗床に種を播き、発芽すると苗株を一株ずつ水田に移植していた。
【先行技術文献】
【技術文献】
【０００３】  新規軸に付き、抵触する先行技術は無い。
【発明の概要】
【発明が解決しようとする課題】
【０００４】  播種と移植の二重手間、一株ずつ植え付ける非能率、長時間、重労働等に加え、移植は稲の根を痛め生長を遅らせている。【０００５】  種を直播にすると苗が乱雑に生え足の踏み場がなく雑草の除去が出来ない。雑草は稲の生育を妨げるので除去は不可欠である。やむなく、足の踏み場を確保する為に間隔をとって一株ずつ植え付けしている現況である。これは現在の直播が「ばら蒔き」でしか植え付け出来ない結果である。【０００６】  「一括同時植え付け」と云う視点に立ち、種もみを、直接、素早く、的確、広範囲に播けるようにした。
【課題を解決するための手段】
【０００７】  格子状に編まれた網の縦糸と横糸とが交差する箇所に、（又は縦糸若しくは横糸の線に沿って等間隔に、）種もみを複数粒一塊にした種株を付着させた網を水田に敷く。
【発明の効果】
【０００８】  網を水田に敷くだけなので、文字通り一網打尽、労働力の極減、作業時間超短縮、好発育性向、生育期間短縮等、稲作の生産性を飛躍的に高めることが出来る。
【図面の簡単な説明】
【０００９】
【図１】は＜発明を実施するための最良の形態＞の平面図である。
【発明を実施するための最良の形態】
【００１０】  網及び網への種もみの付着は、工業的に別途、調製される。
【図１】
2016146810.tif 000003
(57)【要約】      （修正有）【課題】高齢者の靴下着脱補助具の提供。【解決手段】半円状のヘラ部３を設け、靴下係止長穴４を設け、滑りリング５を設け、一方端部に指掛け穴６を設け、Ｒ付三角状のヘラ部７を設けた。【選択図】図１
2016135221.tif 000002
【特許請求の範囲】
【請求項１】
2016135221.tif 000007
を設け、滑りリングを設け、一方端部に指掛け穴を設け、Ｒ付三角状のヘラ部を設けたことを特徴とする靴下装脱着補助具。
【発明の詳細な説明】
【技術分野】
【０００１】本発明は、高齢者の靴下着脱に関するものである。
【背景技術】
【０００２】従来、市販されている補助具は構造が複雑で普及していなかった。
【先行技術文献】
【０００３】
【特許文献１】特許公開２００９−２１３５９０号公報
【特許文献２】特許公開２００６−１０２４４３号公報
【発明の概要】
【発明が解決しようとする課題】
【０００４】そのために、次のような問題点があった。
高齢者が靴下を着脱するとき腰を曲げ両手を使い難儀であった。
本発明は、これらの問題点を解決するためになされたものである。
【課題を解決するための手段】
【０００５】
2016135221.tif 000003
を設け、滑りリングを設け、一方端部に指掛け穴を設け、Ｒ付三角状のヘラ部を設けたことを特徴とする靴下装脱着補助具である。
【発明の効果】
【０００６】靴下を補助具に装着して足を先端まで挿入し、踵を少し上げ補助具を上方向に引き出す。
靴下の首部が係止長穴にかかり補助具と一緒に靴下を足首まで持ち上げて履くことができる。
靴下を脱ぐときは、Ｒ付三角部を靴下の首部に差し込み下へ押す。
簡単な靴下装脱着補助具である。
【図面の簡単な説明】
【０００７】
【図１】本発明の平面図である。
【図２】本発明の側面図である。
【図３】本発明の断面図である。
【図４】本発明に靴下を装着し足を差し入れた使用状態の説明図である。
【図５】本発明に靴下を装着し踵を少し上に上げた状態の説明図である。
【図６】本発明の係止長穴に靴下の首部がかかり靴下を足首まで上げた状態の説明図である。
【発明を実施するための形態】
【０００８】以下、本発明の実施の形態について説明する。
2016135221.tif 000004
半円状のヘラ部（３）を設け、靴下係止長穴（４）を設け、滑りリング（５）を設け、一方端部に指掛け穴（６）を設け、Ｒ付三角状のヘラ部（７）を設けた。
本発明は、以上のような構成である。
本発明を使用するときは、靴下挿入口（２）から靴下を３分２位まで入
2016135221.tif 000005
さえ踵を少し持ち上げ指を指かけ穴（６）に掛け引き抜くと靴下の首部の一部が靴下係止長穴（４）に入り靴下を足首まで持ち上げる事ができる。
【符号の説明】
【０００９】
2016135221.tif 000006
２靴下挿入口
３ヘラ部
４靴下係止長穴
５滑りリング
６指掛け穴
７Ｒ付き三角状ヘラ部
【図１】
2016135221.tif 000008
【図２】
2016135221.tif 000009
【図３】
2016135221.tif 000010
【図４】
2016135221.tif 000011
【図５】
2016135221.tif 000012
【図６】
2016135221.tif 000013
(57)【要約】【課題】  通常の物干し竿でふとんを干す時は、物干し竿の位置が高く、ふとんも大きくかさばるので、お年寄りや女性、腰の弱い人は大変であり、ベランダで干す時も危険が伴っていた。  本発明は通常の物干し竿に取り付けることで、ふとんを物干し竿より低い位置からふとんを押し上げて干すことが可能となり、誰でも楽に、そして安全にふとんを干すことができるふとん干し補助具を提供する。【解決手段】  厚みのある円盤状の本体の周方向に溝部を設け、溝部に歯切り状の回転リングを設け、中空の筒状の通し穴を本体中心より上部にずらした位置に設け、通し穴の側面に固定つまみを設けたことを特徴とするふとん干し補助具。【選択図】図１
2016135222.tif 000002
【特許請求の範囲】
【請求項１】
厚みのある円盤状の本体の周方向に溝部を設け、溝部に歯切り状の回転リングを設け、中空の筒状の通し穴を本体中心位置より上部にずらした位置に設け、通し穴の側面に固定つまみを設けたふとん干し補助具。
【発明の詳細な説明】
【技術分野】
【０００１】  本発明は、物干し竿を使ってふとんを干す際のふとん干し補助具に関するものである。
【背景技術】
【０００２】  従来、物干し等を使ってふとんを干すためには、高い位置にある物干し竿に苦労して掛けていたか、ベランダ等の手すりに掛けていた。
【先行技術文献】
【特許文献】
【０００３】
【特許文献１】  登録実用新案３０４７６１４号公報
【発明の概要】
【発明が解決しようとする課題】
【０００４】  物干し竿はその用途上、高い位置に設置され、高齢の方、女性や体の不自由な方がふとんを干すことは大変であった。
また、無理をしてふとんを干したが為に腰を痛めてしまう方もみえた。
先行文献登録実用新案３０４７６１４号公報では、本体が固定部と回転リングとが分離しておらず一体化している為、偏心リングを中心に回転運動をすれば、ふとんが放物線を描くように大きくハネ上がった状態で干すことになり、また、ふとんの端を固定パイプ２間の隙間に差し込み、裏返して干すやり方は本発明の干し方と大きな相違がある。
本発明は、以上の問題点を解決するためになされたものである。
【課題を解決するための手段】
【０００５】  厚みのある円盤状の本体の周方向に溝部を設け、溝部に歯切り状の回転リングを設け、中空で筒状の通し穴を本体中心位置より上部にずらした位置に設け、通し穴の側面につまみを設ける。
以上の構成よりなるふとん干し補助具。
【発明の効果】
【０００６】  従来、高い位置にある物干し竿を使ってふとんを干すことは大変であり、無理をして腰を痛めている方もみえた。ベランダで干すことも危険が伴っていた。本発明は、誰でも無理なく、安全にふとんを干すことができる。
また、本発明でふとんを干すとふとんが広がった状態で干すことになり、ふとんの裏側にも風が流れることで早く干すことができる。
【図面の簡単な説明】
【０００７】
【図１】  本発明の斜視図
【図２】  本発明の横断図面
【図３】  本発明の縦断図面
【発明を実施するための形態】
【０００８】  以下、本発明の実施の形態を説明する。
［イ］本体（６）は厚みのある円盤状で、その周方向に溝部（７）を設ける。
［ロ］中空の筒状の通し穴（２）を本体中心位置（５）より上部にずらした位置、かつ本体の厚み方向両側に突出するように設ける。
［ハ］固定部の本体（６）に設けた溝部（７）に外側が歯切り状の形状を成した回転リング（４）を設ける。
本発明は以上のような構造である。
本発明を使用するときは、固定部で厚みのある本体（６）の中心（５）より上部へずらした位置に設けた筒状の通し穴（２）に物干し竿（１）を通す。
通した後、本体（６）の左右に設けた筒状の通し穴（２）に備わる固定つまみ（３）を使って物干し竿（１）に固定する。この時、干すふとんの幅の長さを考慮して物干し竿（１）に一対以上、間隔を空けて設置固定する。
固定した後、本体（６）の周方向の溝部（７）に設けたふとんと絡むことで回転し、ふとんを移動させる役割をもつ周囲が歯切り状の形状を成す回転リング（４）にふとんを押し当て、そのままふとんを持ち上げるように動かす。すると、ふとんが回転リング（４）の歯と絡み合い、少しずつ上方向へ移動し、やがてふとんが物干し竿の外方へ徐々に垂れ下がることでふとんの重量のバランスが量られ、安定した状態でふとんを干すことが可能となる。
【符号の説明】
【０００９】１  物干し竿、２  筒状の通し穴、３  固定つまみ、
４  歯切り状の回転リング、５  本体の中心、６  本体、
７  溝部
【図１】
2016135222.tif 000003
【図２】
2016135222.tif 000004
【図３】
2016135222.tif 000005
(57)【要約】      （修正有）【課題】自家電力で交流変換して公害を出さないクリーンエネルギの生成。【解決手段】磁石Ａのもつ性質から電子の移動に起きる電流を取り出し、クリーンエネルギを生成する。【選択図】図１
2016135090.tif 000002
【特許請求の範囲】
【請求項１】
磁石制作時に希土類の選定
【請求項２】
磁石は地球と似た動きをする
【請求項３】
磁石のＮ極、Ｓ極を利用して回転体を作る
【請求項４】
回転体から電流を取り出す
【請求項５】
発電モーターからエネルギーを取り出す
【請求項６】
電流を取り出すときの公害ゼロである
【発明の詳細な説明】
【技術の分野】
【０００１】  本発明は、何故地球が大きな磁石なのか、何世紀にわたっても周期的に地磁気の方向を変えるときには、逆転させるからということについて何故なのか。
【０００２】  磁石は自然に反抗するように見える現象を示すので、自然界に産出するごく普通の永久磁石は磁鉄鉱と呼ばれる好物からなり、この鉱物は黒色酸化鉄Ｆｅ３Ｏ４であった。
【０００３】  光沢のある金属磁石はＮ，Ｎｉ，Ｃｏを含むアルニコと呼ばれる合金でできていることが多い。
【０００４】  最も強力な磁石はＳｍ，Ｎｄのような希土類元素（レアーメタル）を含んでいる。
【０００５】  磁石には必ず二つの先端、つまり極がある。磁石の「北極」と呼ばれる一方の極は、別の磁石の「南極」に引き付けられる。
【０００６】  別の磁石の「北極」によって反発される。
【０００７】  磁石の一方の極は自然に北極星の方向を見つけて指し示す。
【０００８】  磁石の北極は昼間でも曇でも常に北極星の方向を示すから人々は航海に羅針盤を利用した。
【先行技術文献】
【０００９】      元素の百科事典        Ｊｈｏｎ  Ｅｍｓｌｅｙ  著    丸善書店発行
レアメタル            金子  秀夫  著                森北出版
対称性（シンメトリー）レオン  レーダーマン          白揚社
【発明の概要】
【発明が解決しようと課題】
【００１０】  二つの磁石を一つの大きな磁石にした。
【００１１】  磁石が熱なると、引力が弱まり、最後には二つの磁石が離れてしまう。
【００１２】    磁石は熱によって失われた。
【課題を解決するための手段】
【００１３】  本発明は、上記課題を解決する方法を見出し、本発明を完成させた。
【００１４】  冷えた磁力を失った磁石を別の強い磁石に近づけ、接触した大きな磁石と同じ方向を向く磁場を持っていた。
【００１５】  その磁石をもう一度加熱すると、磁石の磁力はまた失われた。
【００１６】  熱い磁石を大きな磁石の近くに置いたが、磁石は戻らなかった。
【００１７】  磁石を大きな強い磁石の近くに置いたまま冷却（室温）にさせると、磁石が冷えると再び「再充電」されることがわかった。
【００１８】  高い温度では鉄（Ｆｅ）を含む磁鉄鉱のような強磁性体は、その内部の原子磁力の並び方が不揃いになっている。
【００１９】  小さい原子は結晶振動の「熱浴」や高温の光子放射などが動き回り、その並び方を変える。
【００２０】  磁性材料が冷えると原子は落ち着き近くの原子と相互的な力によって整列しはじめる。
【００２１】  磁石を作っいる個々の原子は原子核の周囲を回っている電子は固有のスピン運動と軌道運動を持ち、それらの量子力学規則によって氏はされる。
【００２２】  電子の軌道運動とスピン運動の組み合わせが、その電子の全角運動量である。
【００２３】  電子の軌道運動とスピン運動は小さな電流を作り出して、その電流が小さな磁場を生じさせる。
【００２４】  原子そのものが小さい磁石のように振る舞う。でんｓっ日の軌道角運動量とスピン角運動量の方向が相まって、その原子の磁場の方向を決めるのである。
【００２５】  原子はそれ自身が「北】「南」の極を持つことになる。
【００２６】  異なる原子では、その軌道にある電子の配列は異なるからそれぞれの原子は異なる磁気的性質をもつ。
【００２７】  異なる原子（レアアース）希土類原子の電子配列を見ると他の元素と様子が少し違う。
【００２８】  希土類元素は１７種に及ぶが原子番号５７のＬａから７１番のＬｕまでの１５元素にＳｃ，Ｙを加えてこれらをひとまとめにレアアース（希土類元素）という。
【００２９】  これらのレアアースの１７元素は科学的性質が類似していてそれぞれに分類することは難しい。
【００３０】  レアアース金属は科学的活性が強くて、金属Ｍｇに近い活性を持っている。
【００３１】  乾燥した空気中では安定であるが、高温多湿には不安定であるから取り扱いに注意を要する。１５０°〜１８０°の空気中では発火するものもある。
【発明の効果】
【００３２】  本発明は、磁性体が極を帯びるとき小さな電流作り出していることでクリーンなエネルギーが生成される（電流な流れるとき）。
【００３３】  磁鉄鋼に希土類元素を添加することで、その元素の特性すなわち、科学的性質、物理的性質を活かすことを特徴とすものである。
【図面の簡単な説明】
【００３４】
【図１】  磁石から電流を取り出す見取り図である。
【発明を実施するための形態】
【００３５】以下、本発明を実施ために材料として
磁石  １個          Ａ
釘    ２本          Ｂ
適当なコイル用銅線  Ｃ
少し太めな銅線      Ｄ
ＬＥＤ灯            Ｅ
適当な木材          Ｆ
【図１】
2016135090.tif 000003
(57)【要約】      （修正有）【課題】脚立の足が地中にめり込まないための脚立と地面との間に挿入する板を不要とし、軟弱地面にめり込んで転倒することを防止できる脚立を提供する。【解決手段】脚立の脚部は、開脚時、水平になるように角度を計算して製作される。脚立の開脚側、閉脚側それぞれの脚同士を連結する木製又は軽金属製の平板であって、脚立使用者の体重等の重圧に耐えられる縦幅と横幅と厚さの強度を有する平板を、脚立の脚部に取り付ける構成とした。【選択図】図１
2016044535.tif 000002
【特許請求の範囲】
【請求項１】
脚立の接地部の開脚側、閉脚側それぞれの脚同士を、木製又は軽金属製の平板で、連結した、接地面積の大きい脚付き脚立
【請求項２】
脚立接地部の脚は、開脚使用時に接地部が、それぞれが概ね水平になるように、角度を計算して製作された脚
【請求項３】
脚を連結する平板の強度は、体重等の重圧に耐えられる、縦幅、横幅、厚さの物
【発明の詳細な説明】
【技術分野】
【０００１】  本考案は、脚立接地部に、平板を取り付ける事で、脚立の脚接地面積の拡大により、軟弱地面作業時における、転倒事故を防止しようとする、脚立に関するものである。
【背景技術】
【０００２】  脚立の脚部は、開脚等の使用時に、接地部と水平になるように、予め、脚部の角度が、計算、製作されている物。【０００３】  脚立接地部の脚に、取り付ける平板は、木製、又は軽金属製で、縦幅、横幅、厚さは、平均的体重等の重圧に耐えられる物。【０００４】  三脚の場合、昇降段の無い頂点に位置する脚は、他の脚と連結せず、当該脚の接地部を可動式、脚部より面積の広い物。
【発明の概要】
【発明が解決しようとする課題】
【０００５】  脚立を使用し、軟弱地面で作業する場合、本件考案のような、接地面積の広い脚なら、脚が地中にめり込み転倒する事や、脚立と地面の間に板等を挿入したり、場所変更都度板等を運び準備しなくても良く、危険作業他の課題を、克服しようとするものである。
【課題を解決するための手段】
【０００６】  本考案は、脚立の脚部に、平板を取り付けるだけの簡単な工法で、作業安全性が向上される事を、最も主要な特徴とする。
【発明の効果】
【０００７】  脚立の脚部に取り付ける平板は、木材でも可能であり、安価で短時間で誰にも手軽に、製作が可能であり、脚立を使用しての作業の安全性と、関係する他の作業の煩わしさが解消する等の作業効率が向上する効果がある。
【図面の簡単な説明】
【０００８】
【図１】脚立の脚に考案した平板を取り付け、開脚した説明図である。
【図１】
2016044535.tif 000003
(57)【要約】      （修正有）【課題】地震時に地盤が液状化して、家屋などの建築物が傾いたり沈下したりするのを防止する。【解決手段】鋼管基礎杭１をもった鋼製平板２の基礎杭を、軟弱地盤の下の硬質地盤まで打ち込むことによって、軟弱地盤が液状化しても、家屋などの建築物５は傾いたり沈下したりしない。【選択図】図１
2016044534.tif 000002
【特許請求の範囲】
【請求項１】
鋼管基礎杭つき鋼製平板の基礎杭を軟弱地盤の下の硬質地盤まで打ち込むことによって、地震時に軟弱地盤が液状化しても、鋼管基礎杭つき鋼製平板の上の家屋などの建築物は傾いたり沈下したりしない。
【発明の詳細な説明】
【技術分野】
【０００１】  本発明は土木工学と建築工学に関する技術である。
【発明が解決しようとする課題】
【０００２】  全国の都道府県には、「地震時液状化マップ」などにあるように、地震時液状化する軟弱地盤は無数にある。
【０００３】  従来は、液状化地盤を堀出して、健全な土砂に置き換えるという工法が多いが、金がかかる。
【問題を解決するための手段】
【０００４】  本発明は、図１に示すように、鋼管基礎杭つき鋼製平板の基礎杭を、地震時液状化する軟弱地盤の下の硬質地盤まで打ち込むことによって、地震時軟弱地盤が液状化しても、鋼管基礎杭つき鋼製平板の上に建てた建築物は傾いたり沈下したりしない。
【０００５】  また、本発明の鋼管基礎杭と鋼製平板は鉄であるため、将来再生可能であり無駄がなく、国の財産でもある。
【図面の簡単な説明】
【０００６】
【図１】  本発明の全体図
【符号の説明】
【０００７】ｉ  鋼管基礎杭
２  鋼製平版
３  地震地に液状化する軟弱地盤
４  硬質地盤
５  住宅などの建築物
【図１】
2016044534.tif 000003
(57)【要約】      （修正有）【課題】防犯機能を有する非常階段を提供する。【解決手段】戸建て住宅１に具備する非常階段２で、二つ以上からなる左右の支柱を伸縮自在に上下に連結嵌合し、上端部２１１を上階に軸支可動に固定し、伸張させることにより下端部２２１を下降させ一階外部床部に接触させ、短縮させることにより下端部２２１を上昇させ上階床部に近接させる。【選択図】図１
2016044532.tif 000002
【特許請求の範囲】
【請求項１】
上下に二つ以上からなる左右の支柱がスライド可能に連結嵌合して伸縮自在とした階段の上端部付近を上階に軸支可動に固定し、下端部を下降させて一階外部床部に接触し、上昇させて上階床部に近接するとした非常階段を具備する戸建て住宅。
【発明の詳細な説明】
【技術分野】
【０００１】上下に二つ以上からなる左右の支柱がスライド可能に連結嵌合して伸縮自在とした階段の上端部付近を上階に軸支可動に固定し、下端部を下降させて一階外部床部に接触し、上昇させて上階床部に近接する防犯機能を有する非常階段を具備する戸建て住宅に関する。
【背景技術】
【０００２】    従来の戸建て住宅は階段がほとんど屋内に一個所であるため、一階火災時、階段は煙突の如く、火炎と煙を吹き上げて上階からの移動が危険な状態となり、脱出は窓から飛び降りたり、やむを得ず屋根伝いに隣家に飛び移ったりして、負傷や不運にも生命を失う場合もあった。【０００３】    また、それに対応して外部に開口した上下固定の非常階段を設けると、不審者の侵入経路となって防犯面での危険があり、対策として、平時はその開口部を閉鎖、施錠してしまい、非常緊急時には混乱してその開錠が出来ないこともあった。
【発明の開示】
【発明が解決しようとする課題】
【０００４】    このように、消防署からの外部への脱出経路確保の指導と、警察署からの防犯上外部からの進入路閉鎖の指導とは相反する立場にあり、いずれも市民生活上尊重すべき課題であった。
【課題を解決するための手段】
【０００５】本発明は、その問題解決のため、上下に二つ以上からなる左右の支柱が伸縮自在に連結嵌合した階段として、上階にその上端部付近を軸支可動に固定し、階段を、伸張させながら下端部を下降させて一階外部床部に接触し、短縮させながら上昇させて上階床部に近接する非常階段を具備する戸建て住宅としたものである。
問題解決手段による作用は次のとおりである。【０００６】  前記機能の非常階段を具備する戸建て住宅により、非常時、上階での操作により、その下端部を下降させて一階外部床部に接触させて上階から外部への容易な脱出経路となし、通常は防犯上、上端部を上昇させて上階床部に近接させ、外部からの不審者侵入の経路を絶つものである。
【発明の効果】
【０００７】  本考案の戸建て住宅は、前記、上階から外部への脱出経路確保と外部からの進入路閉鎖の課題を同時に解決するものである。【０００８】  この階段周囲をガラス板で囲うなど雨天の防水手段を備え、停電時には手動での操作可能とすれば、電動モーター式として、その操作盤により軽便な操作ができる。【０００９】  当該機能の非常階段を利用しての家具の屋内搬入に対応した家屋構造とすれば、通常の屋内階段とあわせて、より機能的な戸建て住宅となる。【００１０】また、親しい関係の相手なら、上階側に説置した装置により下端部を下降させ、玄関を通らないで屋内に招き入れ、その後防犯の為、上昇させて不審者の侵入を防ぐものである。【００１１】従来の伸縮はしごを天井収納庫への経路として天井裏に取り付け、必要時、下端部を室内に引き下ろせるようにしていたが、あくまでも家屋内経路であり、外部への脱出は不可能であり、本件機能とは異なるものである。
【発明を実施するための最良の形態】
【００１２】    本発明の実施の一例の形態を図１、図２、に基づいて説明する。
戸建て住宅１の二階のバルコニー３に設けた非常階段２を上部２１と下部２２の上下に二つからなる左右の支柱がスライド可能に連結嵌合して伸縮自在とした側面図で表示しており、非常階段２はバルコニー３の壁向こうの破線で示す非常階段２の上端部２１１付近で固定軸５により軸支可動に固定され、建物外壁に設置した巻取りローラー４１から繰り出されたロープ４はロープローラー４２で方向を変えてその先端が下部２２の下端部２２１付近の取り付け部４３に取り付いており、ロープ４を繰り出して非常階段２を自重により伸長させながら下端部２２１を下降させ、一階外部床に接触させて緊急時の脱出経路とし、あるいは、巻取りローラー４１にロープ４を巻戻すことにより非常階段２を短縮させながら下端部２２１を上昇させてバルコニー３の床に近接させてロック保持し、外部からの進入経路を閉鎖しているものである。
【図面の簡単な説明】
【００１３】
【図１】下端部２２１を一階外部床に接触させた戸建て住宅１の概略図。
【図２】下端部２２１を上昇させてバルコニー３床部に近接させた戸建て住宅１の概略図。
【符号の説明】
【００１４】１    戸建て住宅
２    非常階段
３    バルコニー
４    ロープ
５    固定軸
２１    上部
２２    下部
４１    巻取りローラー
４２    ロープローラー
４３    取り付け部
２１１  上端部
２２１  下端部
【図１】
2016044532.tif 000003
【図２】
2016044532.tif 000004
(57)【要約】【課題】サイフォン効果による排水量の増大をより効果的に得ることができるものとする。【解決手段】内周側に張り出して流路面積を絞る張り出し部２を上下に複数個連続して設けた竪樋１とする。【選択図】図１
2016044466.tif 000002
【特許請求の範囲】
【請求項１】
内周側に張り出して流路面積を絞る張り出し部を上下に複数個連続して設けていることを特徴とする竪樋。
【請求項２】
上記張り出し部は偏心したものとして設けているとともに、上段側の張り出し部と、下段側の張り出し部との偏心方向を異ならせていることを特徴とする請求項１記載の竪樋。
【発明の詳細な説明】
【技術分野】
【０００１】
本発明は、雨樋における竪樋に関するものである。
【背景技術】
【０００２】
住宅における雨樋は、一般に、屋根から流れ落ちる雨水を受ける軒樋と、集水器や呼び樋を介して軒樋に繋げられる竪樋とで構成されるが、近年、デザイン上の観点から、細めの軒樋及び竪樋が用いられることが多い。
【０００３】
しかし、細めの雨樋であると、大雨の時には排水しきれずに溢れてしまうことが生じる。
【０００４】
このために、サイフォンの原理を利用して単位時間当たりの排水量を増加させることで、細めの雨樋でも大雨時の雨水を好適に排水できるようにしたものが提案されている（特許文献１）。
【０００５】
これは竪樋を上下に接続するための竪樋用継手の内周面に、弾性を有する張出板を設けて、この張出板の中央部に、竪樋の内径よりも小さい内径の開口部を設けたものである。
【０００６】
流路面積を減少させるオリフィスを構成する上記張出板は、一定流量以上の雨水が竪樋に流入した際、抵抗となってその上方に雨水の滞留を生じさせる。そして滞留した雨水から作用する圧力（雨水の自重）がオリフィスによる抵抗力を上回れば、滞留した雨水がオリフィスを急激に流下することでオリフィスの下方側に負圧を生じさせる。この結果、オリフィスを流下する雨水の流速が増加するとともに、滞留した雨水は引っ張られて流下することになるために、単位時間当たりの流量が増大する。
【先行技術文献】
【特許文献】
【０００７】
【特許文献１】特開２０１２−１４４８７０号公報
【発明の概要】
【発明が解決しようとする課題】
【０００８】
しかし、上記従来例においては、単位時間当たりの流量増大効果が乏しく、降雨量によっては軒樋や集水器からの溢水が生じることがあり、このために、より多くの流量を単位時間内に流すことができるものが求められている。
【０００９】
本発明は上記問題に鑑みてなされたもので、サイフォン効果による排水量の増大をより効果的に得ることができる竪樋を提供することを課題とする。
【課題を解決するための手段】
【００１０】
本発明の竪樋は、内周側に張り出して流路面積を絞る張り出し部を上下に複数個連続して設けていることに特徴を有している。
【発明の効果】
【００１１】
本発明によれば、上下に連続する張り出し部の間で水が滞留しやすいために、サイフォン効果を早期に誘起することができ、この結果、単位時間当たりの流量を増大させることができる。
【図面の簡単な説明】
【００１２】
【図１】本発明の一実施例の縦断面図である。
【図２】同上の平面図である。
【発明を実施するための形態】
【００１３】
以下、本発明を図示実施例に基づいて詳述すると、図１及び図２に示す竪樋１は、内周側に張り出して流路面積を絞る張り出し部２を上下に複数個（図示例では２個）連続して設けたものとなっている。また、上記張り出し部２，２は偏心したものとなっているとともに、上段側の張り出し部２と、下段側の張り出し部２との偏心方向が異なっている。
【００１４】
上記の張り出し部２，２は、上下端が開口する円筒状の竪樋１の内周面に、上下方向において漸次内径を変化させることで形成したスロート状のものであり、流路面積を最も小さくした部分の内径Ｒ２は、竪樋１の内径Ｒ１のほぼ半分（図示例では半分より小さい）となっている。
【００１５】
また、張り出し部２は、偏心させて設けているとともに、上段側の張り出し部２の偏心方向と、下段側の張り出し部２の偏心方向とは１８０°異ならせて、両張り出し部２，２は逆向きに偏心したものとしてある。なお、偏心方向の異なりは、１８０°に限定されるものではなく、他の角度であってもよい。
【００１６】
この竪樋１においては、雨水が流下する時、竪樋１の内面に沿って流下する雨水は、張り出し部２においてその流れの向きを変化させる。しかも、張り出し部２は上下に連続して設けられており、上段側の張り出し部２から対向面に向かった雨水は、下段側の張り出し部２において流れの向きを再度変化させる。このために、上下に並ぶ張り出し部２，２の間で雨水は滞留しやすくなる。上下に並ぶ張り出し部２，２の偏心方向を逆としている上に、張り出し部２の最小径開口部を竪樋１の内周面に内接しないようにして、竪樋１の内周面の全周にわたって張り出し部２が存在しているために、なおさら、滞留が生じやすくなっている。
【００１７】
そして、このような滞留がサイフォン効果を引き起こすことから、サイフォン効果を誘起しやすく、サイフォン効果による単位時間当たりの流量増を得やすいものとなっている。
【００１８】
また、上下に連続するとともに偏心方向が逆となっている張り出し部２，２は、図２から明らかなように、平面視において、開口部の一部が重なるものであり、サイフォン効果によって竪樋１の中心を勢いよく流下する雨水は、図中に白抜き矢印で示すように、張り出し部２，２による抵抗を受けることなく、竪樋１内を通過する。従って、サイフォン効果によるところの単位時間当たりの流量増も大きく、排水性の高いものとなっている。
【００１９】
上下に並ぶ張り出し部２，２は、数ｃｍ内の間隔で上下に連続するものであることが好ましい。
【００２０】
また、竪樋１同士を繋ぐ竪樋継ぎ手として構成されたものであってもよく、また、上下に接続される２本の竪樋（一方が竪樋継ぎ手であってもよい）の上方側の竪樋１の下端部に上段側の張り出し部２を、下方側の竪樋１の上端部に下段側の張り出し部２を設けたものであってもよい。つまり、複数個の張り出し部２，２が実使用時に上下に連続する状態で配置されるものであればよい。ただし、上下に並ぶ張り出し部２，２は張り出し方向がずれていることと、竪樋１の中心にまで張り出さないものであることが望ましい。
【符号の説明】
【００２１】
１  竪樋
２  張り出し部
【図１】
2016044466.tif 000003
【図２】
2016044466.tif 000004
(57)【要約】【課題】従来の介護服は手足を、服の指定場所から通したりして、着脱が大変であり、ボタン等をつけるために、介護服の裏表をはっきりさせる必要があった。治療等のチューブ等を使用するときも、その部分を開けないといけない為、隙間により温度の変化を感じさせ要介護者の負担は大きかった。  本発明は、介護者も着脱させやすく要介護者も負担が少ない介護服を提供する。【解決手段】介護者も着脱させやすく、介護服の素材を表裏どちらも表面として使えるような仕様にし、生地に穴を開け、そこに紐を通すことにより、開けにくいような構造にし、接合部材を、片側で両方が接着できるように雄雌両方をつけ被介護者の身体に負担が少なくなるようにした。医療関係者が治療の際にチューブ類を取り付けたい時も、接合部のどこからでも通しやすいような構造にした介護服。【選択図】図１
2016044384.tif 000002
【特許請求の範囲】
【請求項１】
介護者も着脱させやすく、介護服の素材を表裏どちらも表面として使えるような仕様にし、生地に穴を開け、そこに紐を通すことにより、開けにくいような構造にし、接合部材を、片側で両方が接着できるように雄雌両方をつけ被介護者の身体に負担が少なくなるようにした。医療関係者が治療の際にチューブ類を取り付けたい時も、接合部のどこからでも通しやすいような構造にした介護服。
【発明の詳細な説明】
【技術分野】
【０００１】  この発明は、介護服に関するものである。
【背景技術】
【０００２】  従来の介護服（寝巻き・パジャマ）では、着脱の際に、介護人にその負担が多く、医療では手術のチューブ等や点滴等で、身体に直接取り付ける必要がある時、場所を選べなかった。その為、被介護人にも腕・足・腰に無理がかかり苦痛を与えることがあった。
【先行技術文献】
【特許文献】
【０００３】
【特許文献１】特許公開２００７−２８４８５０公報
【発明の概要】
【発明が解決しようとする課題】
【０００４】  以上の技術によれば、介護服のボタン等をつけるために、裏表をはっきりさせる必要があり、治療等のチューブ等を付けるときも、ボタンの開閉により、隙間からの温度の変化を感じさせる。また、結合部分のボタンは場所が決まっているため、被介護者の体格に密着させることが出来ない。
本発明は、以上の問題点を解決することを目的とする。
【課題を解決するための手段】
【０００５】  第一発明は、介護服の素材を表裏関係なく、どちらでも表面として使えるようにし、介護者もわかりやすく着脱させやすい。第二発明は、接合部材は片側に接着の面の雄雌を両方につけており、これにより表で裏でもどちらの面でも利用可能にした。被介護者の身体に負担が、少なくなるような仕様にし、生地に穴を開けて、そこに紐を通すことにより、開けにくいような構造にした。第三発明は、医療関係者が治療の際にチューブ類を取り付けたい時に、表側の介護服と裏側の介護服を接合できる場所を接合部材の箇所によって、装着しやすいように選ぶことができるようにした。
以上の構成による介護服。
【発明の効果】
【０００６】  発明により介護服に裏表がなくなり、介護者が着脱させやすい服になった。また紐を通すことにより開けにくくなった。接合部材を、片側で両方が接着できるように雄雌両方をつけた。そうすることにより、医療関係者が治療の際にチューブ類を取り付けたい時も、接合部のどこからでも通しやすいようになった介護服。
【図面の簡単な説明】
【０００７】  以下、本発明の実施形態について説明する。
【図１】上半身の後身頃（Ｂ）と前身頃（Ｃ）下半身の後身頃（Ｅ）と前身頃（Ｄ）を分離した介護服を着替え中の全身の斜視分解図である。
【図２】前身頃と後身頃を重ね合わせて密着させた時の介護服。被介護者着用の正面図である。
【図３】前身頃と後身頃を重ね合わせる途中の介護服の接合部分の拡大図である。
【発明を実施するための形態】
【０００８】［図１］のように、素材である前身頃と後身頃を重ね合わせて密着させ、１の紐で３の穴を通して２の接着部分で接合させる。そうすることで［図２］のようになり、着脱がしやすい、医療関係者が治療の際にチューブ類を取り付けしやすい介護服として使用できる。素材に複雑な加工がなく、製作しやすくなっている。
【符号の説明】
【０００９】１前身頃と後身頃を密着させるための接合部分の紐部分である。
２前身頃と後身頃を密着させるための紐の部分の接合部材である。
３前身頃と後身頃を密着させるための接合部分の紐を通す穴である。
Ａ被介護人の頭部。
Ｂ上半身の後身頃。
Ｃ上半身の前身頃。
Ｄ下半身の後身頃。
Ｅ全身の結合部材（接合部材は片側に接着の面の雄雌を両方につけており、これにより表で裏でもどちらの面でも利用可能）
例：面ファスナーである場合（マジックテープ）  片方がフックと呼ばれるかぎ爪状になっている突起で、もう片方がループと呼ばれる起毛によって接合できる部材。
Ｆ被介護人の足の部分。
Ｇ下半身の前身頃。
【図１】
2016044384.tif 000003
【図２】
2016044384.tif 000004
【図３】
2016044384.tif 000005
(57)【要約】【課題】  パンツの右側または左側にカットを入れた小便がしやすいカットいれパンツを提供する。【解決手段】  下着として用いるパンツの右側、または左側に幅１５Ｃｍから４０Ｃｍの範囲の中でいずれかの寸法でカットを入れた、小便がしやすい、カットいれパンツ。【選択図】図１
2016044385.tif 000002
【特許請求の範囲】
【請求項１】
下着として用いるパンツの右側、または左側に１５Ｃｍから４０Ｃｍまでの範囲の中で、いずれかの、寸法で外側に向けてカットを入れえる。小便がしやすい、カットパンツ。
【発明の詳細な説明】
【技術分野】
【０００１】本発明は、パンツの縫製の前に、カットしたものや、縫製のあとでカットした、物でもよい、右側をカット、または左側をカット幅は１５Ｃｍから４０Ｃｍの範囲の中でいずれかの寸法で外側に向けてカットを入れたカットパンツである。
【背景技術】
【０００２】従来、パンツは、中心に穴をあけ、重ねて布を縫ってボタンをつけその穴からしたり、両脇の裾をまくりあげてしていた
【発明が解決しようとする課題】
【０００３】そのために次のような問題点があった。
（イ）特に冬場はスパッツなどをはいているため探しにくかった
本発明は、以上の問題を解決しようとするものである。
【課題を解決するための手段】
【０００４】パンツの右側や、左側に幅１５Ｃｍから４０Ｃｍまでの範囲の中でいずれかの寸法で外側に向けて、斜めにカットを入れる
パンツの上部から１０Ｃｍから５Ｃｍまでのカットを入れる
小便がしやすい、カットいれパンツである。
【発明の効果】
【０００５】本発明は、小便をするときに、中心の穴を探したりしなくても指を股間に入れやすい、また、特に裾をめくって小便をする人には大変楽である
【発明を実施するための最良の形態】
【０００６】（イ）パンツの右側、または左側に幅１５Ｃｍから４０Ｃｍの範囲の中でいずれかの寸法で外側に斜めにカットを入れる
カットの長さは、パンツの上部から１０Ｃｍから５Ｃｍの長さでカット擦る、また４か所の角をまーるくくカットする
本発明は以上の構成よりなっている。
【図面の簡単な説明】
【０００７】
【図１】右側をカットしたパンツ
【図２】左側をカットしたパンツ
【符号の説明】
【０００８】１    パンツ
２    カット部
【図１】
2016044385.tif 000003
【図２】
2016044385.tif 000004
(57)【要約】【課題】接点材料、導電性部材など薬品（硫酸系）、熱されたり、あるいは電気が流れて電気抵抗の所が加熱されたりの条件で酸化被膜を起こしやすくなる。従来の技術の硫化、又は酸化しにくい銀合金では割金がプラチナ、パラジュウム、金等で高額である。銀合金の変色は時間経過により進んでいくため、長期の使用、保管において硫化、又は酸化が起こり、変色が避けられない。銀合金は製品の加工における過程でバフ磨きの熱により火むらが起き黒く変色し除去にシアンを使う。本発明は、このような従来の問題点を解決しようとするもので耐硫化、耐酸化性能を付与した銀合金を提供することを目的とする。【解決手段】重量比でＣｕを０.００５〜２.５ｗｔ％、Ｓｂを０.０１〜４.９ｗｔ％、Ｂｉを０.００１〜２.０ｗｔ％、Ｓｎを１.０〜４９.３ｗｔ％を含み残りＡｇからなる銀合金。【選択図】なし【特許請求の範囲】
【請求項１】
重量比でＣｕを０.００５〜２.５ｗｔ％、Ｓｂを０.０１〜４.９ｗｔ％、Ｂｉを０.００１〜２.０ｗｔ％、Ｓｎを１.０〜４９.３ｗｔ％を含み残りＡｇからなる銀合金。
【請求項２】
装飾品又は食器又は楽器又は接点材料又は導電性部材に用いられる請求項１に記載の銀合金。
【発明の詳細な説明】
【技術分野】
【０００１】
本発明は銀合金に関し特に装飾部材、金具等のパーツ類、時計部品、メガネ部品、楽器、食器、文具、調理器具、接点材料、導電性部材に使用できる銀合金に関する。
【０００２】
従来銀合金は装飾部材料、コイン材料として用いられ代表的なものは銀が９５.０ｗｔ％、９２.５ｗｔ％、８０ｗｔ％、９０ｗｔ％、９５.８ｗｔ％などがある。
【０００３】
接点材料、又導電性部材として用々の割金で銀合金がある。
【背景技術】
【０００４】
銀又は銀合金は平常時では酸素反応せず酸化状態はおきないが硫化ガスや亜硫酸ガス等は容易に反応し表面に硫化銀の黒系又は茶系の被膜を生成する。
【０００５】
銀合金課題である硫化による黒色変化に対応して、割金にいくつかの対策がある。銀と主にパラジュウム、銀と主にプラチナ、銀と主に金等がある。これに関する記載がある。（例えば、特開２０１３−１４１７６９号公報参照）
【先行技術文献】
【特許文献】
【０００６】
【特許文献１】特開２０１３−１４１７６９号公報
【発明の概要】
【発明が解決しようとする課題】
【０００７】
しかしながら、上記特開２０１３−１４１７６９号公報記載の銀製品、楽器、食器および装身具は下記のさまざまな問題がある。
接点材料、導電性部材など薬品（硫酸系）、熱されたり、あるいは電気が流れて電気抵抗の所が加熱されたりの条件で酸化被膜を起こしやすくなる。
【０００８】
従来の技術の硫化、又は酸化しにくい銀合金では割金がプラチナ、パラジュウム、金等で高額である。
【０００９】
銀合金の変色は時間経過により進んでいくため、長期の使用、保管において硫化、又は酸化が起こり、変色が避けられない。
【００１０】
銀合金は製品の加工における過程でバフ磨きの熱により火むらが起き黒く変色し除去にシアンを使う。
【００１１】
本発明は、このような従来の問題を解決しようとするもので耐硫化、耐酸化性能を付与した銀合金を提供することを目的とする。
【課題を解決するための手段】
【００１２】
本発明は、重量比でＣｕを０.００５〜２.５ｗｔ％、Ｓｂを０.０１〜４.９ｗｔ％、Ｂｉを０.００１〜２.０ｗｔ％、Ｓｎを１.０〜４９.３ｗｔ％を含み残りＡｇからなる銀合金を提供することによって上記課題を解決したものである。
【００１３】
また装飾品または食器または楽器または接点材料または導電性部材に用いられる銀合金である。
【発明の効果】
【００１４】
接点材料、導電性部材においては硫化、酸化による被膜が発生する事がなくなった。
【００１５】
銀合金の割金に高額な金属を使わないので安価に提供できる。
【００１６】
地金の構成により耐硫化性、耐酸化性に優れ時間変化による変色が起きない。
【００１７】
銀合金特有の加工段階における火むら現象が起きないので、シアンを使うことが無い。
【発明を実施するための形態】
【００１８】
本発明は、各金属のｗｔ％の少量の数値は銀合金性質変化に寄与するので以下にその性質を説明する。
【００１９】
割金となるＣｕとＳｂとＢｉとＳｎの合金を作り、残り銀と混ぜ銀合金を作る。
【００２０】
Ｃｕが０.００５〜２.５ｗｔ％は硬度を上げ、仕上げのバフ磨きに光沢がでる。
【００２１】
Ｓｂが０.０１〜４.９ｗｔ％は白色維持と耐硫化性と銀との合金による耐酸化性向上を付与する。
【００２２】
Ｂｉが０.００１〜２.０ｗｔ％は白色維持と耐硫化性と銀との合金による耐酸化性及び流動性の向上を付与する為、鋳造、伸性の向上を有する。
【００２３】
Ｓｎが１.０〜４９．３ｗｔ％は白色維持と耐硫化性と耐酸化性、流動性、加工性の向上を有する。
【００２４】
この発明による銀合金の通常生活状態ではおきない悪条件の８０℃の熱湯による硫黄水濃度１％〜５％に３０秒漬けこみにも変色変化は起こらなかった。
【００２５】
銀合金の指輪を酸素バーナーで赤色８００℃に熱し、希硫酸（硫酸３０％、残水）に浸しても酸化変化は起きなかった。通常では起こり難い悪条件でも変色変化は起きなかった。
【００２６】
本発明は食器など食品衛生法上のＳｂの規制値（５％未満）をも満たし安全に使用できることも提供する。
【産業上の利用可能性】
【００２７】
上記の発明は銀合金に関し特に装飾部材、金具等のパーツ類、時計部品、メガネ部品、楽器、食器、文具、調理器具、接点材料、導電性部材に使用できる。